(57)【要約】      （修正有）【課題】不特定の端末装置から発信された優先メールを規制状態において疎通させる。【解決手段】一態様に係る中継装置は、メール通信システムに含まれる中継装置であって、端末装置が発信しようとするメールデータの伝送経路において自中継装置より下位のノード装置から第１の接続要求を受信する第１の受信部と、メール通信が規制されている状態において第１の接続要求を受信した場合に、受信した当該第１の接続要求に第１の優先識別子が含まれているか否かを判定する判定部と、第１の接続要求に第１の優先識別子が含まれていると判定した場合に、上記伝送経路において自中継装置より上位のノード装置に対して、第２の接続要求を送信する第１の送信部とを含む。【選択図】図８
2015115875.tif 000002
【特許請求の範囲】
【請求項１】
メール通信システムに含まれる中継装置であって、
端末装置が発信しようとするメールデータの伝送経路において自中継装置より下位のノード装置から第１の接続要求を受信する第１の受信部と、
メール通信が規制されている状態において前記第１の接続要求を受信した場合に、受信した当該第１の接続要求に第１の優先識別子が含まれているか否かを判定する判定部と、
前記第１の接続要求に前記第１の優先識別子が含まれていると判定した場合に、前記伝送経路において自中継装置より上位のノード装置に対して、第２の接続要求を送信する第１の送信部と
を有する中継装置。
【請求項２】
更に、
第２の優先識別子を含む前記第２の接続要求を生成する生成部
を有する請求項１記載の中継装置。
【請求項３】
前記中継装置は、更に、
メールサーバが送信しようとするメールデータについての第１の着信通知を受信する第２の受信部を有し、
前記判定部は、
前記状態において前記第１の着信通知を受信した場合に、受信した当該第１の着信通知に第３の優先識別子が含まれているか否かを判定し、
更に、
前記第１の着信通知に前記第３の優先識別子が含まれていると判定した場合に、前記下位のノード装置に対して、第２の着信通知を送信する第２の送信部
を有する請求項１又は２記載の中継装置。
【請求項４】
更に、
第４の優先識別子を含む前記第２の着信通知を生成する生成部
を有する請求項３記載の中継装置。
【請求項５】
前記第１の受信部は、前記メールデータの宛先を含む前記第１の接続要求を受信し、
前記第１の送信部は、前記第１の接続要求に前記第１の優先識別子が含まれていると判定した場合に、前記宛先における着信を優先させる要求を、前記メール通信システムに含まれるデータベース装置に送信する
請求項１乃至４のいずれか１つ記載の中継装置。
【請求項６】
前記中継装置は、更に、
着信側の端末装置を特定した第１の着信通知を受信する第２の受信部を有し、
前記状態において前記第１の着信通知を受信した場合に、前記第１の受信部は、前記メール通信システムに含まれるデータベース装置から、受信した当該第１の着信通知によって特定される前記着信側の端末装置について着信を優先させる指示が設定されているか否かを示す情報を受信し、
前記中継装置は、更に、
前記着信側の端末装置について前記指示が設定されていることを示す前記情報を受信した場合に、前記下位のノード装置に対して、第２の着信通知を送信する第２の送信部
を有する請求項１又は２記載の中継装置。
【請求項７】
更に、
第５の優先識別子を含む前記第２の着信通知を生成する生成部
を有する請求項６記載の中継装置。
【請求項８】
移動体端末と、アクセス網と、第１の中継装置と、第２の中継装置とを含む移動体通信システムであって、
前記移動体端末は、
優先されるべきメールデータを発信する場合に、第１の優先識別子を含む第１の接続要求を前記アクセス網を介して前記第１の中継装置へ送信し、
前記第１の中継装置は、
前記アクセス網を介して前記第１の接続要求を受信する第１の受信部と、
メール通信が規制されている状態において前記第１の接続要求を受信した場合に、受信した当該第１の接続要求に前記第１の優先識別子が含まれているか否かを判定する第１の判定部と、
前記第１の接続要求に前記第１の優先識別子が含まれていると判定した場合に、前記第２の中継装置に対して、第２の優先識別子を含む第２の接続要求を送信する第１の送信部と
を有し、
前記第２の中継装置は、
前記第１の中継装置から前記第２の接続要求を受信する第２の受信部と、
前記状態において前記第２の接続要求を受信した場合に、受信した当該第２の接続要求に、前記第２の優先識別子が含まれているか否かを判定する第２の判定部と、
前記第２の接続要求に前記第２の優先識別子が含まれていると判定した場合に、メールサーバ側に、第３の接続要求を送信する第２の送信部と
を有する移動体通信システム。
【請求項９】
前記移動体通信システムは、更に、データベース装置を含み、
前記移動体端末は、前記メールデータの宛先を含む前記第１の接続要求を送信し、
前記第１の接続要求に前記第１の優先識別子が含まれていると判定した場合に、前記第１の送信部は、前記宛先における着信を優先させる要求を、前記データベース装置に送信し、
前記データベース装置は、
前記要求を受信すると、前記宛先により特定される移動体端末における着信を優先させる指示を設定する設定部
を有し、
前記第２の中継装置は、
前記メールサーバが送信しようとするメールデータの宛先である移動体端末を特定した第１の着信通知を受信する第３の受信部を有し、
前記状態において前記第１の着信通知を受信した場合に、前記第２の受信部は、受信した当該第１の着信通知によって特定される前記移動体端末について前記指示が設定されているか否かを示す情報を、前記データベース装置から受信し、
前記第２の中継装置は、更に、
前記移動体端末について前記指示が設定されていることを示す前記情報を受信した場合に、前記第１の中継装置に対して、第３の優先識別子を含む第２の着信通知を送信する第３の送信部
を有し、
前記第１の中継装置は、更に、
前記第２の中継装置から、前記第２の着信通知を受信する第４の受信部
を有し、
前記状態において前記第２の着信通知を受信した場合に、前記第１の判定部は、受信した当該第２の着信通知に前記第３の優先識別子が含まれているか否かを判定し、
前記第１の中継装置は、更に、
前記第２の着信通知に前記第３の優先識別子が含まれていると判定した場合に、前記アクセス網を介して前記移動体端末と接続するための制御を行う制御部
を有する請求項８記載の移動体通信システム。
【請求項１０】
移動体端末と、アクセス網と、第１の中継装置と、第２の中継装置とを含む移動体通信システムについての移動体通信方法であって、
前記移動体端末によって、
優先されるべきメールデータを発信する場合に、第１の優先識別子を含む第１の接続要求を前記アクセス網を介して前記第１の中継装置へ送信する送信処理と、
前記第１の中継装置によって、
前記アクセス網を介して前記第１の接続要求を受信する処理と、
メール通信が規制されている状態において前記第１の接続要求を受信した場合に、受信した当該第１の接続要求に前記第１の優先識別子が含まれているか否かを判定する処理と、
前記第１の接続要求に前記第１の優先識別子が含まれていると判定した場合に、前記第２の中継装置に対して、第２の優先識別子を含む第２の接続要求を送信する処理と
前記第２の中継装置によって、
前記第１の中継装置から前記第２の接続要求を受信する処理と、
前記状態において前記第２の接続要求を受信した場合に、受信した当該第２の接続要求に、前記第２の優先識別子が含まれているか否かを判定する処理と、
前記第２の接続要求に前記第２の優先識別子が含まれていると判定した場合に、メールサーバ側に、第３の接続要求を送信する処理と
を含む移動体通信方法。
【請求項１１】
前記移動体通信システムは、更に、データベース装置を含み、
前記送信処理において、前記メールデータの宛先を含む前記第１の接続要求を送信し、
前記第１の中継装置によって、
前記第１の接続要求に前記第１の優先識別子が含まれていると判定した場合に、前記宛先における着信を優先させる要求を、前記データベース装置に送信する処理と、
前記データベース装置によって、
前記要求を受信すると、前記宛先により特定される移動体端末における着信を優先させる指示を設定する処理と、
前記第２の中継装置によって、
前記メールサーバが送信しようとするメールデータの宛先である移動体端末を特定した第１の着信通知を受信する処理と、
前記状態において前記第１の着信通知を受信した場合に、当該第１の着信通知によって特定される前記移動体端末について前記指示が設定されているか否かを示す情報を、前記データベース装置から受信する処理と、
前記移動体端末について前記指示が設定されていることを示す前記情報を受信した場合に、前記第１の中継装置に対して、第３の優先識別子を含む第２の着信通知を送信する処理と、
前記第１の中継装置によって、
前記第２の中継装置から、前記第２の着信通知を受信する処理と、
前記状態において前記第２の着信通知を受信した場合に、受信した当該第２の着信通知に前記第３の優先識別子が含まれているか否かを判定する処理と、
前記第２の着信通知に前記第３の優先識別子が含まれていると判定した場合に、前記アクセス網を介して前記移動体端末と接続するための制御を行う処理と、
を含む請求項１０記載の移動体通信方法。
【発明の詳細な説明】
【技術分野】
【０００１】
本発明は、メール通信における接続規制の技術に関する。
【背景技術】
【０００２】
移動体通信網におけるトラフィック量の増大により輻輳が発生する恐れがある場合、通信事業者により接続が規制されることがある。このようなときに一律に接続を規制すると不適切なケースもある。
【０００３】
ある文献には、予め登録されている端末装置に関して、規制状態においても音声通信を行えるようにする技術が開示されている。この技術は、特定の職務に携わる者の緊急連絡に資することを課題としている。
【０００４】
しかし、音声通信の他に、メール通信も緊急連絡のための手段となることがある。また、予期しない事由によって、規制を回避してメールを疎通させるべき事態が生じることもある。このようなときに、優先されるべきメールを発信しようとする端末装置が、予め緊急用に登録されているとは限らない。
【先行技術文献】
【特許文献】
【０００５】
【特許文献１】特開２００２−２０４４７７号公報
【特許文献２】特開２００３−１６３６９７号公報
【発明の概要】
【発明が解決しようとする課題】
【０００６】
本発明の目的は、一側面では、不特定の端末装置から発信された優先メールを規制状態において疎通させることである。
【課題を解決するための手段】
【０００７】
一態様に係る中継装置は、メール通信システムに含まれる中継装置であって、端末装置が発信しようとするメールデータの伝送経路において自中継装置より下位のノード装置から第１の接続要求を受信する第１の受信部と、メール通信が規制されている状態において第１の接続要求を受信した場合に、受信した当該第１の接続要求に第１の優先識別子が含まれているか否かを判定する判定部と、第１の接続要求に第１の優先識別子が含まれていると判定した場合に、上記伝送経路において自中継装置より上位のノード装置に対して、第２の接続要求を送信する第１の送信部とを含む。
【０００８】
一態様に係る移動体通信システムは、移動体端末と、アクセス網と、第１の中継装置と、第２の中継装置とを含む移動体通信システムであって、上記移動体端末は、優先されるべきメールデータを発信する場合に、第１の優先識別子を含む第１の接続要求をアクセス網を介して第１の中継装置へ送信する。第１の中継装置は、アクセス網を介して第１の接続要求を受信する第１の受信部と、メール通信が規制されている状態において第１の接続要求を受信した場合に、受信した当該第１の接続要求に第１の優先識別子が含まれているか否かを判定する第１の判定部と、第１の接続要求に第１の優先識別子が含まれていると判定した場合に、第２の中継装置に対して、第２の優先識別子を含む第２の接続要求を送信する第１の送信部とを有する。第２の中継装置は、第１の中継装置から第２の接続要求を受信する第２の受信部と、上記状態において第２の接続要求を受信した場合に、受信した当該第２の接続要求に、第２の優先識別子が含まれているか否かを判定する第２の判定部と、第２の接続要求に第２の優先識別子が含まれていると判定した場合に、メールサーバ側に、第３の接続要求を送信する第２の送信部とを有する。
【発明の効果】
【０００９】
一側面としては、不特定の端末装置から発信された優先メールを規制状態において疎通させることができる。
【図面の簡単な説明】
【００１０】
【図１】図１は、実施の形態１に係る携帯電話端末と規制地域との位置関係を示す図である。
【図２】図２は、移動体通信システムの構成例を示す図である。
【図３】図３は、実施の形態１に係るシーケンスを示す図である。
【図４】図４は、携帯電話端末のモジュール構成例を示す図である。
【図５】図５は、メール発信処理フローを示す図である。
【図６】図６は、メール発信処理フローを示す図である。
【図７】図７は、加入者パケット交換機のモジュール構成例を示す図である。
【図８】図８は、加入者パケット交換機における接続処理フローを示す図である。
【図９】図９は、加入者パケット交換機における接続処理フローを示す図である。
【図１０】図１０は、中継パケット交換機のモジュール構成例を示す図である。
【図１１】図１１は、中継パケット交換機における接続処理フローを示す図である。
【図１２】図１２は、中継パケット交換機における接続処理フローを示す図である。
【図１３】図１３は、実施の形態２に係る携帯電話端末と規制地域との位置関係を示す図である。
【図１４】図１４は、実施の形態２に係る携帯電話端末と規制地域との位置関係を示す図である。
【図１５】図１５は、実施の形態２に係るシーケンスを示す図である。
【図１６】図１６は、実施の形態２に係るシーケンスを示す図である。
【図１７】図１７は、実施の形態２に係るシーケンスを示す図である。
【図１８】図１８は、オプション領域の例を示す図である。
【図１９】図１９は、実施の形態２に係るメール発信処理フローを示す図である。
【図２０】図２０は、優先要求信号の例を示す図である。
【図２１】図２１は、実施の形態２に係る加入者パケット交換機における接続処理フローを示す図である。
【図２２】図２２は、実施の形態２に係る加入者パケット交換機における接続処理フローを示す図である。
【図２３】図２３は、加入者情報データベース装置のモジュール構成例を示す図である。
【図２４】図２４は、加入者情報の例を示す図である。
【図２５】図２５は、優先設定処理フローを示す図である。
【図２６】図２６は、解除処理フローを示す図である。
【図２７】図２７は、着信情報の読出応答信号の例を示す図である。
【図２８】図２８は、読み出し処理フローを示す図である。
【図２９】図２９は、中継パケット交換機における通知処理フローを示す図である。
【図３０】図３０は、中継パケット交換機における通知処理フローを示す図である。
【図３１】図３１は、加入者パケット交換機における通知処理フローを示す図である。
【図３２】図３２は、メール着信処理フローを示す図である。
【図３３】図３３は、コンピュータの機能ブロック図である。
【図３４】図３４は、コンピュータの機能ブロック図である。
【図３５】図３５は、携帯電話端末のハードウエア構成例を示す図である。
【発明を実施するための形態】
【００１１】
［実施の形態１］
以下の例では、通信規制が行われている携帯電話網（３Ｇ）における電子メール（以下、メールという。）の通信について説明する。
【００１２】
図１に、実施の形態１に係る携帯電話端末１０１と規制地域１０３との位置関係を示す。規制地域１０３は、災害時の安否確認のような理由によりメールの使用が増え、通信の規制が行われている地域である。他に、例えばイベントに想定を越えるユーザが集中し、待ち合わせのためにメールの使用が増えた場合にも、通信規制が行われることがある。従って、規制地域１０３は、広い範囲に設定される場合がある他、比較的狭い範囲に設定されることもある。
【００１３】
この例では、規制地域１０３の中に位置する携帯電話端末１０１ａからメールが発信される。メールの宛先は、規制地域１０３の外に位置する携帯電話端末１０１ｂである。
【００１４】
本実施の形態では、不特定の携帯電話端末１０１から優先メールが発信される。例えば、携帯電話端末１０１において、発信しようとするメールデータのヘッダに含まれる宛先アドレスあるいは本文の文字列等に基づいて、優先メールを判別するようにする。
【００１５】
図２に、移動体通信システムの構成例を示す。移動体通信システムは、携帯電話端末１０１、アクセス網２０１、コアネットワーク網２０３及びメールサーバ２０５を有している。携帯電話端末１０１は、アクセス網２０１を介してコアネットワーク網２０３に接続する。アクセス網２０１には、例えば無線基地局と無線ネットワーク制御装置とが含まれている。移動体通信システムは、メール通信システムの例である。
【００１６】
コアネットワーク網２０３には、加入者パケット交換機２０７、中継パケット交換機２０９及び加入者情報データベース装置２１１が含まれる。加入者パケット交換機２０７は、コアネットワーク網２０３においてアクセス網２０１側に位置する。具体的には、加入者パケット交換機２０７は、コアネットワーク網２０３内の中継パケット交換機２０９及び加入者情報データベース装置２１１と接続するとともに、アクセス網２０１とも接続している。加入者パケット交換機２０７は、アクセス網２０１から受信したパケットを中継パケット交換機２０９に転送する。また、加入者パケット交換機２０７は、中継パケット交換機２０９から受信したパケットをアクセス網２０１に転送する。
【００１７】
中継パケット交換機２０９は、コアネットワーク網２０３においてメールサーバ２０５側に位置する。具体的には、中継パケット交換機２０９は、コアネットワーク網２０３内の加入者パケット交換機２０７及び加入者情報データベース装置２１１と接続するとともに、メールサーバ２０５とも接続している。中継パケット交換機２０９は、加入者パケット交換機２０７から受信したパケットをメールサーバ２０５に転送する。また、中継パケット交換機２０９は、メールサーバ２０５から受信したパケットを加入者パケット交換機２０７に転送する。
【００１８】
加入者パケット交換機２０７及び中継パケット交換機２０９は、中継装置の例である。この例において、アクセス網２０１に含まれる無線ネットワーク制御装置は、加入者パケット交換機２０７に対する下位のノード装置に相当する。またこの例において、中継パケット交換機２０９は、加入者パケット交換機２０７に対する上位のノード装置に相当する。またこの例において、加入者パケット交換機２０７は、中継パケット交換機２０９に対する下位のノード装置に相当する。またこの例において、メールサーバ２０５は、中継パケット交換機２０９に対する上位のノード装置に相当する。
【００１９】
加入者情報データベース装置２１１は、加入者電話番号、ＩＭＳＩ（International Mobile Subscriber Identity）及びメールアドレスなどの加入者情報と、携帯電話端末１０１が存在する範囲に対応する加入者パケット交換機２０７を特定するアドレスのような着信情報とを管理する。
【００２０】
発信側の携帯電話端末１０１において、宛先メールアドレスなどのヘッダとメール本文を含むメールデータを生成する。そして、メールデータを転送するシーケンスにおいては、まず、呼制御信号プレーン（以下、Ｃプレーンという。）で発信側の携帯電話端末１０１とメールサーバ２０５の間における呼接続が行われる。そして、発信側の携帯電話端末１０１とメールサーバ２０５の間が呼接続されると、ユーザ情報転送プレーン（以下、Ｕプレーンという。）のパスを通して発信側の携帯電話端末１０１からメールサーバ２０５へメールデータが転送される。Ｕプレーンは、メールデータを伝送するプロトコルの例である。また、Ｃプレーンは、メールデータを伝送するプロトコルに先行して接続制御を行うプロトコルの例である。
【００２１】
メールサーバ２０５は、移動体通信システムに属する携帯電話端末１０１（以下、加入者の携帯電話端末という。）の加入者電話番号とメールアドレスとを保持している。そして、メールサーバ２０５は、受信したメールデータの宛先メールアドレスによって、着信側の携帯電話端末１０１が加入者の携帯電話端末であると判断した場合に、加入者電話番号を特定し、加入者電話番号によって中継パケット交換機２０９を選択し、着信のための処理を行う。
【００２２】
通信規制が行われている場合には、加入者パケット交換機２０７及び中継パケット交換機２０９において接続の可否を判定し、加入者パケット交換機２０７及び中継パケット交換機２０９は、接続を拒否すると判定した場合に、Ｕプレーンによるパスを設定しないようにする。
【００２３】
本実施の形態では、加入者パケット交換機２０７及び中継パケット交換機２０９は、Ｃプレーンにおいて接続要求に係る優先データを共有する。このようにすれば、Ｕプレーンのリソースを捕捉する前に、接続拒否の判断を行える。
【００２４】
図３に、実施の形態１に係るシーケンスを示す。このシーケンスは、メール発信に伴う処理手順を示している。携帯電話端末１０１から、アクセス網２０１、加入者パケット交換機２０７及び中継パケット交換機２０９を介するメールサーバ２０５までの連なりが、メールデータの伝送経路に相当する。
【００２５】
メールを発信しようとする携帯電話端末１０１は、アクセス網２０１を介してＣプレーン接続要求信号（Activate PDP Context Request）を加入者パケット交換機２０７へ送信する（Ｓ３０１）。
【００２６】
加入者パケット交換機２０７は、規制中にＣプレーン接続要求信号（Activate PDP Context Request）を受信すると、規制判定処理（Ｓ３０３）によって、優先しない接続要求を拒否する。但し、優先する接続要求であれば、加入者パケット交換機２０７は、規制中であっても正常に接続するように処理を継続する。
【００２７】
正常に接続する場合には、加入者パケット交換機２０７は、Ｃプレーン接続要求信号（Create PDP Context Request）を中継パケット交換機２０９へ送信する（Ｓ３０５）。
【００２８】
中継パケット交換機２０９は、規制中にＣプレーン接続要求信号（Create PDP Context Request）を受信すると、規制判定処理（Ｓ３０７）によって、優先しない接続要求を拒否する。但し、優先する接続要求であれば、中継パケット交換機２０９は、規制中であっても正常に接続するように処理を継続する。
【００２９】
正常に接続する場合には、中継パケット交換機２０９は、Ｃプレーン接続要求信号（Access Request）をメールサーバ２０５へ送信する（Ｓ３０９）。
【００３０】
中継パケット交換機２０９は、メールサーバ２０５から返信される正常応答信号（Access Accept）を受信すると（Ｓ３１１）、Ｕプレーン捕捉処理を行う（Ｓ３１３）。そして、中継パケット交換機２０９は、正常応答信号（Create PDP Context Response）を加入者パケット交換機２０７へ返信する（Ｓ３１５）。
【００３１】
加入者パケット交換機２０７は、正常応答信号（Create PDP Context Response）を受信すると、Ｕプレーン捕捉処理を行う（Ｓ３１７）。そして、携帯電話端末１０１とメールサーバ２０５との間でＵプレーンパスが設定される（Ｓ３１９）。
【００３２】
加入者パケット交換機２０７は、アクセス網２０１を介して正常応答信号（Activate PDP Context Accept）を携帯電話端末１０１へ返信する（Ｓ３２１）。
【００３３】
携帯電話端末１０１は、正常応答信号（Activate PDP Context Accept）を受信すると、Ｕプレーンパスを通してメールデータをメールサーバ２０５へ送信する（Ｓ３２３）。  このように、メール本文を送信するためのＵプレーンを捕捉する前にＣプレーンのみでメール伝送の可否を判断するようにすれば、Ｕプレーンのリソースを無駄にしないので、輻輳を予防することに役立つ。
【００３４】
次に、携帯電話端末１０１について説明する。図４に、携帯電話端末１０１のモジュール構成例を示す。携帯電話端末１０１は、メール生成部４０１、メールデータ格納部４０３及びメール通信部４０５を有している。メール生成部４０１は、ユーザの操作に従って、メールデータを生成する。メールデータ格納部４０３は、生成されたメールデータを記憶する。メール通信部４０５は、メールデータを発信する処理と、メールデータを着信する処理とを行う。
【００３５】
メール生成部４０１、メールデータ格納部４０３及びメール通信部４０５は、例えば図３５に示すハードウエア資源によって実現される。また、メール生成部４０１及びメール通信部４０５は、当該モジュールの処理の一部又は全部を、記憶回路３５０３（図３５）にロードされたプログラムをＣＰＵ（Central Processing Unit）３５０１（図３５）で順次実行することにより実現するようにしてもよい。
【００３６】
メール通信部４０５は、受付部４１１、制御部４１３、記憶部４１５、送信部４１７及び受信部４１９を有している。受付部４１１は、ユーザ操作によって指示を受け付ける。制御部４１３は、通信に関する制御を行う。記憶部４１５は、受付部４１１、制御部４１３、送信部４１７及び受信部４１９で用いる信号及びデータを記憶する。送信部４１７は、アクセス網２０１へ信号及びデータを送信する。受信部４１９は、アクセス網２０１から信号及びデータを受信する。
【００３７】
受付部４１１、制御部４１３、記憶部４１５、送信部４１７及び受信部４１９は、例えば図３５に示すハードウエア資源によって実現される。また、受付部４１１、制御部４１３、送信部４１７及び受信部４１９は、当該モジュールの処理の一部又は全部を、記憶回路３５０３（図３５）にロードされたプログラムをＣＰＵ３５０１（図３５）で順次実行することにより実現するようにしてもよい。
【００３８】
図５及び図６に、メール発信処理フローを示す。受付部４１１は、送信指示を受け付けたか否かを判定する（Ｓ５０１）。送信指示は、例えばユーザ操作によって受け付けられる。送信指示を受け付けていないと判定した場合には、Ｓ５０１の処理を繰り返す。
【００３９】
送信指示を受け付けたと判定した場合には、制御部４１３は、Ｃプレーン接続要求信号（Activate PDP Context Request）を生成する（Ｓ５０３）。Ｃプレーン接続要求信号（Activate PDP Context Request）は、記憶部４１５に記憶される。制御部４１３は、更にＣプレーン接続要求信号（Activate PDP Context Request）にオプション領域を付加する（Ｓ５０５）。オプション領域は、第１優先フラグを含んでいる。第１優先フラグがＯＮであれば、発信されるメールがメールサーバ２０５に至る経路において優先されることを意味する。この例で、ＯＮに設定された第１優先フラグは、優先識別子に相当する。
【００４０】
尚、オプション領域では、キャリアが個別にオプションデータを設定することが許されている。以下に示す他の信号におけるオプション領域においても、同様にキャリアが個別にオプションデータを設定することが許されている。
【００４１】
制御部４１３は、メールデータ格納部４０３に格納されているメールデータの本文に所定のキーワードのいずれかが含まれているか否かを判定する。（Ｓ５０７）。キーワードは、例えば「至急」、「緊急」、「火事」、「地震」、「津波」、「事故」、「消防」、「救急」、「警察」、「警報」、「注意報」又は「安否」である。キーワードは、例えば移動体通信システムの運用者が指定するようにしてもよい。
【００４２】
本文に所定のキーワードのいずれも含まれていないと判定した場合には、発信されるメールが優先されないようにする。発信されるメールが優先されないようにする場合には、端子Ａを介して図６に示したＳ６０１の処理に移る。
【００４３】
一方、本文に所定のキーワードのいずれかが含まれていると判定した場合には、制御部４１３は、メールデータ格納部４０３に格納されているメールデータにファイルが添付されているか否かを判定する（Ｓ５０９）。メールデータ格納部４０３に格納されているメールデータにファイルが添付されていると判定した場合には、発信されるメールが優先されないようにする。メールデータ格納部４０３に格納されているメールデータにファイルが添付されている場合には、緊急の用に関しないと想定されるからである。上述の通り、発信されるメールが優先されないようにする場合には、端子Ａを介して図６に示したＳ６０１の処理に移る。
【００４４】
一方、メールデータ格納部４０３に格納されているメールデータにファイルが添付されていないと判定した場合には、制御部４１３は、メールデータ格納部４０３に格納されているメールデータのサイズが閾値以上であるか否かを判定する（Ｓ５１１）。メールデータ格納部４０３に格納されているメールデータのサイズが閾値以上であると判定した場合には、発信されるメールが優先されないようにする。メールデータ格納部４０３に格納されているメールデータのサイズが大きい場合には、緊急の用に関しないと想定されるからである。上述の通り、発信されるメールが優先されないようにする場合には、端子Ａを介して図６に示したＳ６０１の処理に移る。
【００４５】
一方、メールデータ格納部４０３に格納されているメールデータのサイズが閾値以上でないと判定した場合には、発信されるメールが優先されるようにする。発信されるメールが優先されるようにする場合には、端子Ｂを介して図６に示したＳ６０３の処理に移る。
【００４６】
図６の説明に移る。発信されるメールが優先されないようにする場合には、制御部４１３は、第１優先フラグをＯＦＦに設定する（Ｓ６０１）。第１優先フラグがＯＦＦであれば、発信されるメールがメールサーバ２０５に至る伝送経路において優先されないように扱われる。
【００４７】
発信されるメールが優先されるようにする場合には、制御部４１３は、第１優先フラグをＯＮに設定する（Ｓ６０３）。第１優先フラグがＯＮであれば、発信されるメールがメールサーバ２０５に至る伝送経路において優先されるように扱われる。この例で、ＯＮに設定された第１優先フラグは、優先識別子に相当する。
【００４８】
送信部４１７は、上述したように第１優先フラグが設定されたＣプレーン接続要求信号（Activate PDP Context Request）を送信する（Ｓ６０５）。この処理は、図３に示したシーケンスにおけるステップＳ３０１に相当する。
【００４９】
正常に処理されると、制御部４１３は、Ｕプレーンパスを設定し（Ｓ６０７）、受信部４１９は、正常応答信号（Activate PDP Context Accept）を受信する（Ｓ６０９）。この処理は、図３に示したシーケンスにおけるステップＳ３１９及びステップＳ３２１に相当する。
【００５０】
そして、送信部４１７は、メールデータ格納部４０３からメールデータを読み、Ｕプレーンパスを通してメールデータをメールサーバ２０５へ送信する（Ｓ６１１）。この処理は、図３に示したシーケンスにおけるステップＳ３２３に相当する。
【００５１】
尚、通信規制によって接続を拒否された場合には、Ｓ６０７乃至Ｓ６１１の処理は行われない。
【００５２】
次に、加入者パケット交換機２０７の動作について説明する。図７に、加入者パケット交換機２０７のモジュール構成例を示す。加入者パケット交換機２０７は、第１受信部７０１、第１送信部７０３、第２受信部７０５、第２送信部７０７、記憶部７０９、判定部７１１、生成部７１３及び制御部７１５を有している。
【００５３】
第１受信部７０１は、アクセス網２０１を介して携帯電話端末１０１から信号及びデータを受信する。第１送信部７０３は、アクセス網２０１を介して携帯電話端末１０１へ信号及びデータを送信する。第２受信部７０５は、コアネットワーク網２０３に含まれる中継パケット交換機２０９及び加入者情報データベース装置２１１から信号及びデータを受信する。第２送信部７０７は、コアネットワーク網２０３に含まれる中継パケット交換機２０９及び加入者情報データベース装置２１１へ信号及びデータを送信する。
【００５４】
記憶部７０９は、第１受信部７０１、第１送信部７０３、第２受信部７０５、第２送信部７０７、判定部７１１、生成部７１３及び制御部７１５で用いられる信号及びデータを記憶する。
【００５５】
判定部７１１は、例えば規制判定のような判定を行う。生成部７１３は、各種信号を生成する。制御部７１５は、通信に関する制御を行う。
【００５６】
第１受信部７０１、第１送信部７０３、第２受信部７０５、第２送信部７０７、記憶部７０９、判定部７１１、生成部７１３及び制御部７１５は、例えば図３４に示すハードウエア資源によって実現される。例えば、第１受信部７０１及び第１送信部７０３は、通信制御部２６１７ａによって実現され、第２受信部７０５及び第２送信部７０７は、通信制御部２６１７ｂによって実現される。また第１受信部７０１、第１送信部７０３、第２受信部７０５、第２送信部７０７、判定部７１１、生成部７１３及び制御部７１５は、当該モジュールの処理の一部又は全部を、メモリ２６０１（図３４）にロードされたプログラムをＣＰＵ２６０３（図３４）で順次実行することにより実現するようにしてもよい。
【００５７】
図８及び図９に、加入者パケット交換機２０７における接続処理フローを示す。第１受信部７０１は、待機して、携帯電話端末１０１からアクセス網２０１を介してＣプレーン接続要求信号（Activate PDP Context Request）を受信する（Ｓ８０１）。受信したＣプレーン接続要求信号（Activate PDP Context Request）は、記憶部７０９に記憶される。この処理は、図３に示したシーケンスにおけるステップＳ３０１に相当する。
【００５８】
判定部７１１は、通信規制が行われている状態（以下、規制中という。）であるか否かを判定する（Ｓ８０３）。規制中であると判定した場合には、判定部７１１は、Ｃプレーン接続要求信号（Activate PDP Context Request）にオプション領域が付加されているか否かを判定する（Ｓ８０５）。
【００５９】
Ｃプレーン接続要求信号（Activate PDP Context Request）にオプション領域が付加されていないと判定した場合には、通常のＣプレーン接続要求信号（Activate PDP Context Request）であるので、加入者パケット交換機２０７は接続を拒否する。この場合には、生成部７１３は、接続拒否信号を生成する（Ｓ８０７）。接続拒否信号は、記憶部７０９に記憶される。第１送信部７０３は、接続拒否信号を携帯電話端末１０１へ返信する（Ｓ８０９）。そして、Ｓ８０１の処理に戻り、上述の処理を繰り返す。
【００６０】
一方、Ｃプレーン接続要求信号（Activate PDP Context Request）にオプション領域が付加されていると判定した場合には、判定部７１１は、オプション領域における第１優先フラグがＯＮであるか否かを判定する（Ｓ８１１）。
【００６１】
Ｓ８１１において、オプション領域における第１優先フラグがＯＮではないと判定した場合にも、加入者パケット交換機２０７は接続を拒否する。この場合には、生成部７１３は、接続拒否信号を生成する（Ｓ８０７）。接続拒否信号は、記憶部７０９に記憶される。第１送信部７０３は、接続拒否信号を携帯電話端末１０１へ返信する（Ｓ８０９）。そして、Ｓ８０１の処理に戻り、上述の処理を繰り返す。
【００６２】
一方、Ｓ８１１においてオプション領域における第１優先フラグがＯＮであると判定した場合には、生成部７１３は、Ｃプレーン接続要求信号（Create PDP Context Request）を生成する（Ｓ８１３）。Ｃプレーン接続要求信号（Create PDP Context Request）は、記憶部７０９に記憶される。生成部７１３は、Ｃプレーン接続要求信号（Create PDP Context Request）にオプション領域を付加し（Ｓ８１５）、第１優先フラグをＯＮに設定する（Ｓ８１７）。この例で、ＯＮに設定された第１優先フラグは、優先識別子に相当する。
【００６３】
尚、Ｓ８０３、Ｓ８０５及びＳ８１１の処理は、図３に示したシーケンスにおける規制判定処理（Ｓ３０３）に相当する。
【００６４】
そして、第２送信部７０７は、Ｃプレーン接続要求信号（Create PDP Context Request）を中継パケット交換機２０９へ送信する（Ｓ８１９）。この処理は、図３に示したシーケンスにおけるステップＳ３０５に相当する。
【００６５】
一方、Ｓ８０３において規制中ではないと判定した場合には、生成部７１３は、Ｃプレーン接続要求信号（Create PDP Context Request）を生成する（Ｓ８２１）。そして、第２送信部７０７は、Ｃプレーン接続要求信号（Create PDP Context Request）を中継パケット交換機２０９へ送信する（Ｓ８１９）。この場合には、オプション領域は付加されない。
【００６６】
そして、端子Ｃを介して図９に示したＳ９０１の処理に移る。第２受信部７０５は、待機して、中継パケット交換機２０９から信号を受信する（Ｓ９０１）。受信した信号は、記憶部７０９に記憶される。
【００６７】
判定部７１１は、受信した信号が正常応答信号（Create PDP Context Response）であるか否かを判定する（Ｓ９０３）。受信した信号が正常応答信号（Create PDP Context Response）であると判定した場合、つまり、図３に示したシーケンスにおけるステップＳ３１５に相当する場合には、制御部７１５は、Ｕプレーン捕捉処理を実行する（Ｓ９０５）。Ｕプレーン捕捉処理によって、Ｕプレーンパスを設定するためのリソースが確保される。この処理は、図３に示したシーケンスにおけるステップＳ３１７に相当する。
【００６８】
生成部７１３は、Ｕプレーンパスが設定されると、正常応答信号（Activate PDP Context Accept）を生成する（Ｓ９０７）。正常応答信号（Activate PDP Context Accept）は、記憶部７０９に記憶される。第１送信部７０３は、正常応答信号（Activate PDP Context Accept）を携帯電話端末１０１へ返信する（Ｓ９０９）。この処理は、図３に示したシーケンスにおけるステップＳ３２１に相当する。そして、端子Ｄを介して、図８に示したＳ８０１の処理に戻る。
【００６９】
一方、Ｓ９０３において、受信した信号が正常応答信号（Create PDP Context Response）ではないと判定した場合には、加入者パケット交換機２０７は接続を拒否する。この場合には、生成部７１３は、接続拒否信号を生成する（Ｓ９１１）。接続拒否信号は、記憶部７０９に記憶される。第１送信部７０３は、接続拒否信号を携帯電話端末１０１へ返信する（Ｓ９１３）。そして、端子Ｄを介して、図８に示したＳ８０１の処理に戻る。以上で、加入者パケット交換機２０７の動作についての説明を終える。
【００７０】
次に、中継パケット交換機２０９の動作について説明する。図１０に、中継パケット交換機２０９のモジュール構成例を示す。中継パケット交換機２０９は、第１受信部１００１、第１送信部１００３、第２受信部１００５、第２送信部１００７、記憶部１００９、判定部１０１１、生成部１０１３及び制御部１０１５を有している。
【００７１】
第１受信部１００１は、コアネットワーク網２０３に含まれる加入者パケット交換機２０７及び加入者情報データベース装置２１１から信号及びデータを受信する。第１送信部１００３は、コアネットワーク網２０３に含まれる加入者パケット交換機２０７及び加入者情報データベース装置２１１へ信号及びデータを送信する。第２受信部１００５は、メールサーバ２０５から信号及びデータを受信する。第２送信部１００７は、メールサーバ２０５へ信号及びデータを送信する。
【００７２】
記憶部１００９は、第１受信部１００１、第１送信部１００３、第２受信部１００５、第２送信部１００７、判定部１０１１、生成部１０１３及び制御部１０１５で用いられる信号及びデータを記憶する。
【００７３】
判定部１０１１は、例えば規制判定のような判定を行う。生成部１０１３は、各種信号を生成する。制御部１０１５は、通信に関する制御を行う。
【００７４】
第１受信部１００１、第１送信部１００３、第２受信部１００５、第２送信部１００７、記憶部１００９、判定部１０１１、生成部１０１３及び制御部１０１５は、例えば図３４に示すハードウエア資源によって実現される。例えば、第１受信部１００１及び第１送信部１００３は、通信制御部２６１７ａによって実現され、第２受信部１００５及び第２送信部１００７は、通信制御部２６１７ｂによって実現される。また第１受信部１００１、第１送信部１００３、第２受信部１００５、第２送信部１００７、判定部１０１１、生成部１０１３及び制御部１０１５は、当該モジュールの処理の一部又は全部を、メモリ２６０１（図３４）にロードされたプログラムをＣＰＵ２６０３（図３４）で順次実行することにより実現するようにしてもよい。
【００７５】
図１１及び図１２に、中継パケット交換機２０９における接続処理フローを示す。第１受信部１００１は、加入者パケット交換機２０７からＣプレーン接続要求信号（Create PDP Context Request）を受信する（Ｓ１１０１）。この処理は、図３に示したシーケンスにおけるステップＳ３０５に相当する。受信したＣプレーン接続要求信号（Create PDP Context Request）は、記憶部１００９に記憶される。
【００７６】
判定部１０１１は、規制中であるか否かを判定する（Ｓ１１０３）。規制中であると判定した場合には、判定部１０１１は、Ｃプレーン接続要求信号（Create PDP Context Request）にオプション領域が付加されているか否かを判定する（Ｓ１１０５）。
【００７７】
Ｃプレーン接続要求信号（Create PDP Context Request）にオプション領域が付加されていないと判定した場合には、通常のＣプレーン接続要求信号（Create PDP Context Request）であるので、中継パケット交換機２０９は接続を拒否する。この場合には、生成部１０１３は、接続拒否信号を生成する（Ｓ１１０７）。接続拒否信号は、記憶部１００９に記憶される。第１送信部１００３は、接続拒否信号を加入者パケット交換機２０７へ返信する（Ｓ１１０９）。そして、Ｓ１１０１の処理に戻り、上述の処理を繰り返す。
【００７８】
一方、Ｃプレーン接続要求信号（Create PDP Context Request）にオプション領域が付加されていると判定した場合には、判定部１０１１は、オプション領域における第１優先フラグがＯＮであるか否かを判定する（Ｓ１１１１）。
【００７９】
Ｓ１１１１においてオプション領域における第１優先フラグがＯＮではないと判定した場合にも、中継パケット交換機２０９は接続を拒否する。この場合には、生成部１０１３は、接続拒否信号を生成する（Ｓ１１０７）。接続拒否信号は、記憶部１００９に記憶される。第１送信部１００３は、接続拒否信号を加入者パケット交換機２０７へ返信する（Ｓ１１０９）。そして、Ｓ１１０１の処理に戻り、上述の処理を繰り返す。
【００８０】
一方、Ｓ１１１１においてオプション領域における第１優先フラグがＯＮであると判定した場合には、生成部１０１３は、Ｃプレーン接続要求信号（Access Request）を生成する（Ｓ１１１３）。Ｃプレーン接続要求信号（Access Request）は、記憶部１００９に記憶される。
【００８１】
また、Ｓ１１０３において規制中ではないと判定した場合にも、生成部１０１３は、Ｃプレーン接続要求信号（Access Request）を生成する（Ｓ１１１３）。Ｃプレーン接続要求信号（Access Request）は、記憶部１００９に記憶される。
【００８２】
Ｓ１１０３、Ｓ１１０５及びＳ１１１１の処理は、図３に示したシーケンスにおける規制判定処理（Ｓ３０７）に相当する。
【００８３】
第２送信部１００７は、Ｃプレーン接続要求信号（Access Request）をメールサーバ２０５へ送信する（Ｓ１１１５）。この処理は、図３に示したシーケンスにおけるステップＳ３０９に相当する。
【００８４】
そして、端子Ｅを介して図１２に示したＳ１２０１の処理に移る。第２受信部１００５は、待機して、メールサーバ２０５から信号を受信する（Ｓ１２０１）。受信した信号は、記憶部１００９に記憶される。
【００８５】
判定部１０１１は、受信した信号が正常応答信号（Access Accept）であるか否かを判定する（Ｓ１２０３）。受信した信号が正常応答信号（Access Accept）であると判定した場合、つまり、図３に示したシーケンスにおけるステップＳ３１１に相当する場合には、制御部１０１５は、Ｕプレーン捕捉処理を実行する（Ｓ１２０５）。Ｕプレーン捕捉処理によって、Ｕプレーンパスを設定するためのリソースが確保される。この処理は、図３に示したシーケンスにおけるステップＳ３１３に相当する。
【００８６】
生成部１０１３は、正常応答信号（Create PDP Context Response）を生成する（Ｓ１２０７）。正常応答信号（Create PDP Context Response）は、記憶部１００９に記憶される。第１送信部１００３は、正常応答信号（Create PDP Context Response）を加入者パケット交換機２０７へ返信する（Ｓ１２０９）。この処理は、図３に示したシーケンスにおけるステップＳ３１５に相当する。そして、端子Ｆを介して、図１１に示したＳ１１０１の処理に戻る。
【００８７】
一方、Ｓ１２０３において、受信した信号が正常応答信号（Access Accept）ではないと判定した場合には、中継パケット交換機２０９は接続を拒否する。この場合には、生成部１０１３は、接続拒否信号を生成する（Ｓ１２１１）。接続拒否信号は、記憶部１００９に記憶される。第１送信部１００３は、接続拒否信号をメールサーバ２０５へ返信する（Ｓ１２１３）。そして、端子Ｆを介して、図１１に示したＳ１１０１の処理に戻る。以上で、中継パケット交換機２０９の動作についての説明を終える。
【００８８】
本実施の形態によれば、不特定の携帯電話端末１０１から発信された優先メールを規制状態において疎通させることができる。例えば、規制地域１０３の中の携帯電話端末１０１から発信された優先メールをメールサーバ２０５に到達させるための接続を確立させることに役立つ。
【００８９】
また、加入者パケット交換機２０７は、Ｃプレーン接続要求信号（Create PDP Context Request）にオプション領域を付加し、付加されたオプション領域の第１優先フラグをＯＮに設定して、Ｃプレーン接続要求信号（Create PDP Context Request）を中継パケット交換機２０９へ送信するので、上位のノード装置である中継パケット交換機２０９に当該優先メールの疎通を指示することができる。
【００９０】
更に、メールデータの伝送を伴わずに、Ｃプレーンにおいて接続の可否を制御するので、メールデータの伝送を試行することによるトラフィックの増加を抑制することができる。
【００９１】
［実施の形態２］
実施の形態１では、規制地域１０３の中の携帯電話端末１０１から電子メールを発信する場合の例について説明した。実施の形態２では、規制地域１０３の中の携帯電話端末１０１が電子メールを着信する場合の例について説明する。
【００９２】
図１３及び図１４に、実施の形態２に係る携帯電話端末１０１と規制地域１０３との位置関係を示す。この例では、発信側の携帯電話端末１０１ｃも、着信側の携帯電話端末１０１ｄも、規制地域１０３の中に位置している。つまり、規制地域１０３内の携帯電話端末１０１同士でメール通信が行われる。
【００９３】
図１４に別の位置関係の例を示す。この例では、規制地域１０３の外の携帯電話端末１０１ｅから、規制地域１０３の中の携帯電話端末１０１ｆへメールを送る。
【００９４】
本実施の形態では、メールサーバ２０５から携帯電話端末１０１ｄ又は携帯電話端末１０１ｆへのメールを転送する場合における着信通知の処理に着目する。尚、着信通知が携帯電話端末１０１ｄ又は携帯電話端末１０１ｆに到達した後の動作は、実施の形態１における接続要求の処理とほぼ同様に実行される。
【００９５】
実施の形態１では、加入者パケット交換機２０７及び中継パケット交換機２０９が、Ｃプレーンにおいて接続要求に係る優先データを共有した。本実施の形態では、加入者パケット交換機２０７及び中継パケット交換機２０９は、Ｃプレーンにおいて着信通知に係る優先データも共有する。
【００９６】
図１５に、実施の形態２に係るシーケンスを示す。このシーケンスは、メール発信に伴う処理手順を示している。メールを発信しようとする携帯電話端末１０１は、アクセス網２０１を介してＣプレーン接続要求信号（Activate PDP Context Request）を加入者パケット交換機２０７へ送信する（Ｓ１５０１）。
【００９７】
加入者パケット交換機２０７は、規制中にＣプレーン接続要求信号（Activate PDP Context Request）を受信すると、規制判定処理（Ｓ１５０３）によって、優先しない接続要求を拒否する。但し、優先する接続要求であれば、加入者パケット交換機２０７は、規制中であっても正常に接続するように処理を継続する。
【００９８】
正常に接続する場合には、加入者パケット交換機２０７は、優先要求信号を加入者情報データベース装置２１１へ送信する（Ｓ１５０５）。優先要求信号は、宛先メールアドレスによって特定される携帯電話端末１０１における着信を優先させるように求めるための信号である。
【００９９】
加入者情報データベース装置２１１は、優先要求信号を受信すると、優先設定処理（Ｓ１５０７）によって、宛先メールアドレスによって特定される携帯電話端末１０１における着信を優先させる指示を設定する。
【０１００】
ステップＳ３０５以降の処理手順は、実施の形態１で説明した図３の場合と同様であるので省略する。
【０１０１】
図１６及び図１７に、実施の形態２に係るシーケンスを示す。このシーケンスは、メール着信に伴う処理手順を示している。着信側の携帯電話端末１０１へ送信すべきメールデータを保持するメールサーバ２０５は、Ｃプレーン着信通知信号を中継パケット交換機２０９へ送信する（Ｓ１６０１）。
【０１０２】
中継パケット交換機２０９は、Ｃプレーン着信通知信号を受信すると、着信情報の読出要求信号（MAP S.R.I.Request）を加入者情報データベース装置２１１へ送る（Ｓ１６０３）。
【０１０３】
加入者情報データベース装置２１１は、着信情報の読出要求信号（MAP S.R.I.Request）を受信すると、自ら保持する着信情報を読み出し、着信情報の読出応答信号（MAP S.R.I.Response）を中継パケット交換機２０９へ返信する（Ｓ１６０５）。着信情報は、例えば着信側の携帯電話端末１０１が属するエリアに係る加入者パケット交換機２０７を特定するために用いられる。また、本実施の形態における着信情報には、着信側の携帯電話端末１０１におけるメール着信を優先させるか否かの指示が含まれている。
【０１０４】
中継パケット交換機２０９は、規制判定処理（Ｓ１６０７）によって、上記指示に基づいて、当該着信通知を優先させるか否かを判定する。その結果、規制中における優先しない着信通知は、拒否される。但し、優先する着信通知であれば、中継パケット交換機２０９は、規制中であっても正常に処理を継続する。
【０１０５】
正常に処理する場合には、中継パケット交換機２０９は、Ｃプレーン着信通知信号（PDU Notification Request）を加入者パケット交換機２０７へ送信する（Ｓ１６０９）。
【０１０６】
加入者パケット交換機２０７は、Ｃプレーン着信通知信号（PDU Notification Request）を受信すると、Ｃプレーン着信応答信号（PDU Notification Response）を中継パケット交換機２０９へ返信する（Ｓ１６１１）。
【０１０７】
加入者パケット交換機２０７は、規制判定処理（Ｓ１６１３）によって、規制中における優先しない着信通知を拒否する。但し、優先する着信通知であれば、加入者パケット交換機２０７は、規制中であっても正常に処理を継続する。
【０１０８】
正常に処理する場合には、加入者パケット交換機２０７は、ページング（Ｓ１６１５）によって、アクセス網２０１を介して携帯電話端末１０１と接続する。そして、加入者パケット交換機２０７は、アクセス網２０１を介してＣプレーン着信通知信号（Request PDP Context Activation）を携帯電話端末１０１へ送信する（Ｓ１６１７）。
【０１０９】
Ｃプレーン着信通知信号（Request PDP Context Activation）を受信すると、携帯電話端末１０１は、アクセス網２０１を介してＣプレーン接続要求信号（Activate PDP Context Request）を加入者パケット交換機２０７へ送信する（Ｓ１６１９）。
【０１１０】
携帯電話端末１０１の処理は、端子Ｓを介して図１７に示すシーケンスに移る。アクセス網２０１の処理は、端子Ｔを介して図１７に示すシーケンスに移る。加入者パケット交換機２０７の処理は、端子Ｕを介して図１７に示すシーケンスに移る。中継パケット交換機２０９の処理は、端子Ｖを介して図１７に示すシーケンスに移る。メールサーバ２０５の処理は、端子Ｗを介して図１７に示すシーケンスに移る。
【０１１１】
ステップＳ３０１乃至Ｓ３２１は、実施の形態１で説明した図３の場合と同様である。メールサーバ２０５は、メールデータを携帯電話端末１０１へ送信する（Ｓ１７０１）。以上で、本実施の形態に係るシーケンスについての説明を終える。
【０１１２】
続いて、携帯電話端末１０１によるメール発信処理について説明する。本実施の形態においても、実施の形態１の場合と同様に図５に示したメール発信処理を行う。但し、Ｓ５０５においてＣプレーン接続要求信号（Activate PDP Context Request）に設定されるオプション領域には、宛先メールアドレスを設定するためのフィールドが含まれている。
【０１１３】
図１８に、本実施の形態に係るオプション領域の例を示す。第１バイトには、第１優先フラグが設定される。第１優先フラグは、実施の形態１の場合と同様である。第２バイトには、宛先メールアドレスの文字数が設定される。第３バイト以降には、宛先メールアドレスのキャラクタが設定される。
【０１１４】
図５に続くメール発信処理フローを、図１９に示す。端子Ａを介して行われるＳ６０１の処理は、図６の場合と同様である。
【０１１５】
また、図６の場合と同様に、端子Ｂを介してＳ６０３の処理を行う。更に、制御部４１３は、オプション領域に宛先メールアドレスを設定する（Ｓ１９０１）。Ｓ１９０１において、送信部４１７は、上述したように第１優先フラグ及び宛先メールアドレスが設定されたＣプレーン接続要求信号（Activate PDP Context Request）を送信する。この処理は、図１５に示したシーケンスにおけるステップＳ１５０１に相当する。
【０１１６】
Ｓ６０５乃至Ｓ６１１の処理は、実施の形態１の場合と同様である。以上で、携帯電話端末１０１によるメール発信処理の説明を終える。
【０１１７】
次に、加入者パケット交換機２０７における動作について説明する。図２０に、図１５に示したＳ１５０５で加入者パケット交換機２０７が送信する優先要求信号の例を示す。ＭＡＰ（Mobile Application Part）の仕様に従って、パラメータ名とＩｎｖｏｋｅ  ＩＤとが設定される。この例におけるパラメータ名には、優先要求を示す名前が設定される。更に、優先要求信号は、宛先メールアドレスを含んでいる。
【０１１８】
図２１及び図２２に、実施の形態２に係る加入者パケット交換機２０７における接続処理フローを示す。Ｓ８０１乃至Ｓ８１１の処理は、実施の形態１で説明した図８の場合と同様である。尚、Ｓ８０１の処理は、図１５に示したシーケンスにおけるステップＳ１５０１に相当する。また、Ｓ８０３、Ｓ８０５及びＳ８１１の処理は、図１５に示したシーケンスにおける規制判定処理（Ｓ１５０３）に相当する。
【０１１９】
Ｓ８１１においてオプション領域における第１優先フラグがＯＮであると判定した場合、生成部７１３は、優先要求信号を生成する（Ｓ２１０１）。優先要求信号は、記憶部７０９に記憶される。生成部７１３は、Ｓ８０１で受信したＣプレーン接続要求信号（Activate PDP Context Request）のオプション領域に含まれる宛先メールアドレスを優先要求信号に設定する（Ｓ２１０３）。
【０１２０】
第２送信部７０７は、優先要求信号を加入者情報データベース装置２１１へ送信する（Ｓ２１０５）。優先要求信号は、メールデータの宛先における着信を優先させる要求に相当する。この処理は、図１５に示したシーケンスにおけるステップＳ１５０５に相当する。そして、端子Ｇを介して図２２に示したＳ８１３の処理に移る。
【０１２１】
また、Ｓ８０３において規制中ではないと判定した場合に、判定部７１１は、Ｓ８０５の場合と同様にＣプレーン接続要求信号（Activate PDP Context Request）にオプション領域が付加されているか否かを判定する（Ｓ１２０６）。
【０１２２】
Ｃプレーン接続要求信号（Activate PDP Context Request）にオプション領域が付加されていないと判定した場合には、端子Ｈを介して図２２のＳ８２１の処理に移る。
【０１２３】
一方、Ｃプレーン接続要求信号（Activate PDP Context Request）にオプション領域が付加されていると判定した場合には、判定部７１１は、Ｓ８１１の場合と同様にオプション領域における第１優先フラグがＯＮであるか否かを判定する（Ｓ１２０７）。
【０１２４】
オプション領域における第１優先フラグがＯＮではないと判定した場合にも、端子Ｈを介して図２２のＳ８２１の処理に移る。
【０１２５】
一方、オプション領域における第１優先フラグがＯＮであると判定した場合には、生成部７１３は、Ｓ２１０１の場合と同様に優先要求信号を生成する（Ｓ２１０８）。優先要求信号は、記憶部７０９に記憶される。生成部７１３は、Ｓ２１０３の場合と同様に宛先メールアドレスを設定する（Ｓ２１０９）。第２送信部７０７は、Ｓ２１０５の場合と同様に優先要求信号を送信する（Ｓ２１１１）。そして、端子Ｈを介して図２２に示したＳ８２１の処理に移る。
【０１２６】
このようにすれば、図１４に示したように規制地域１０３の外に存在する携帯電話端末１０１ｅから発信される優先メールに関して、規制地域１０３の中に存在する携帯電話端末１０１ｆへ着信通知が伝送されるようになる。
【０１２７】
図２２に示したＳ８１３乃至Ｓ８２１の処理は、実施の形態１で説明した図８の場合と同様である。そして、端子Ｃを介して図９のＳ９０１の処理に移る。図９に示した処理についても、実施の形態１の場合と同様である。
【０１２８】
次に、加入者情報データベース装置２１１の動作について説明する。図２３に、加入者情報データベース装置２１１のモジュール構成例を示す。加入者情報データベース装置２１１は、受信部２３０１、送信部２３０３、加入者情報格納部２３０５、設定部２３０７、着信情報格納部２３０９、生成部２３１１、解除部２３１３及び読み出し部２３１５を有する。
【０１２９】
受信部２３０１は、コアネットワーク網２０３に含まれる加入者パケット交換機２０７及び中継パケット交換機２０９から信号及びデータを受信する。送信部２３０３は、コアネットワーク網２０３に含まれる加入者パケット交換機２０７及び中継パケット交換機２０９へ信号及びデータを送信する。加入者情報格納部２３０５は、加入者情報を格納する。設定部２３０７は、加入者情報格納部２３０５に加入者情報を設定する。本実施の形態に係る加入者情報は、第２優先フラグを含んでいる。第２優先フラグがＯＮに設定されている場合には、当該加入者の携帯電話端末１０１が宛先となっているメールの着信を優先させるように指示されていることを意味する。また、設定部２３０７は、加入者情報に含まれる第２優先フラグをＯＮに設定する処理も行う。着信情報格納部２３０９は、着信情報を格納する。生成部２３１１は、着信情報を生成する。解除部２３１３は、加入者情報に含まれる第２優先フラグのＯＮ設定を解除する。読み出し部２３１５は、要求に応じて着信情報を読み出す。
【０１３０】
受信部２３０１、送信部２３０３、加入者情報格納部２３０５、設定部２３０７、着信情報格納部２３０９、生成部２３１１、解除部２３１３及び読み出し部２３１５は、例えば図３３に示すハードウエア資源によって実現される。また受信部２３０１、送信部２３０３、設定部２３０７、生成部２３１１、解除部２３１３及び読み出し部２３１５は、当該モジュールの処理の一部又は全部を、メモリ２５０１（図３３）にロードされたプログラムをＣＰＵ２５０３（図３３）で順次実行することにより実現するようにしてもよい。
【０１３１】
図２４に、本実施の形態に係る加入者情報の例を示す。この図では、３人分の加入者情報を示している。加入者情報は、加入者電話番号と、ＩＭＳＩと、メールアドレスと、第２優先フラグとを含んでいる。
【０１３２】
この例で第１レコードは、ＩＭＳＩ＿Ａで特定される加入者の携帯電話端末１０１は、電話番号＿Ａとメールアドレス＿Ａとを用いていることを示している。また第１レコードは、この携帯電話端末１０１が規制地域１０３の中に存在する場合に、メールの着信に関して優先されないことも示している。
【０１３３】
この例で第２レコードは、ＩＭＳＩ＿Ｂで特定される加入者の携帯電話端末１０１は、電話番号＿Ｂとメールアドレス＿Ｂとを用いていることを示している。また第２レコードは、この携帯電話端末１０１が規制地域１０３の中に存在する場合に、メールの着信に関して優先されることも示している。
【０１３４】
この例で第３レコードは、ＩＭＳＩ＿Ｃで特定される加入者の携帯電話端末１０１は、電話番号＿Ｃとメールアドレス＿Ｃとを用いていることを示している。また第３レコードは、この携帯電話端末１０１が規制地域１０３の中に存在する場合に、メールの着信に関して優先されないことも示している。
【０１３５】
図２５に、加入者情報データベース装置２１１における優先設定処理フローを示す。受信部２３０１は、待機して、加入者パケット交換機２０７から優先要求信号を受信する（Ｓ２５０１）。この処理は、図１５に示したシーケンスにおけるステップＳ１５０５に相当する。
【０１３６】
設定部２３０７は、受信した優先要求信号から宛先メールアドレスを抽出する（Ｓ２５０３）。設定部２３０７は、宛先メールアドレスをキーとして、加入者情報格納部２３０５に格納されている加入者情報を検索する（Ｓ２５０５）。設定部２３０７は、検索によって特定された加入者情報に含まれる第２優先フラグをＯＮに設定する（Ｓ２５０７）。設定部２３０７は、解除部２３１３を起動する（Ｓ２５０９）。解除部２３１３における処理の終了を待たずに、Ｓ２５０１の処理に戻る。解除部２３１３は、加入者情報毎に別個に動作する。
【０１３７】
図２６に、解除部２３１３による解除処理フローを示す。解除部２３１３は、タイマーをスタートさせる（Ｓ２６０１）。解除部２３１３は、所定時間を経過したか否かを判定する（Ｓ２６０３）。所定時間を経過していないと判定した場合には、解除部２３１３は、Ｓ２６０３の処理を繰り返す。所定時間を経過したと判定した場合には、解除部２３１３は、加入者情報格納部２３０５に格納されている当該加入者情報に含まれる第２優先フラグをＯＦＦに設定する（Ｓ２６０５）。そして、解除部２３１３は、処理を終える。尚、所定時間には、着信側の携帯電話端末１０１がメールデータをダウンロードする間隔より短いと想定される時間（例えば、３０分）が設定される。
【０１３８】
次に、図１６に示したＳ１６０５で、加入者情報データベース装置２１１から送信される着信情報の読出応答信号について説明する。図２７に、着信情報の読出応答信号の例を示す。ＭＡＰの仕様に従って、パラメータ名とＩｎｖｏｋｅ  ＩＤとが設定される。この例におけるパラメータ名には、着信情報の読出応答を示す名前が設定される。また、着信情報の読出応答信号は、中継パケット交換機２０９のアドレスと、加入者パケット交換機２０７のアドレスと、不到達の理由と、ユーザエラーなどの従来の着信情報を含んでいる。本実施の形態で、着信情報の読出応答信号は、更に第２優先フラグを含んでいる。第２優先フラグがＯＮであれば、メールを着信する場合に優先されることを意味する。つまり、第２優先フラグがＯＮである着信情報の読出応答信号は、規制中であっても、当該加入者の携帯電話端末１０１が宛先となっているメールの着信を優先させる指示に相当する。
【０１３９】
図２８に、加入者情報データベース装置２１１における読み出し処理フローを示す。受信部２３０１は、待機して、中継パケット交換機２０９から着信情報の読出要求信号（MAP S.R.I.Request）を受信する（Ｓ２８０１）。この処理は、図１６に示したシーケンスにおけるステップＳ１６０３に相当する。
【０１４０】
読み出し部２３１５は、着信情報の読出要求信号（MAP S.R.I.Request）に含まれる電話番号又はＩＭＳＩをキーとして、着信情報格納部２３０９に格納されている着信情報を検索する（Ｓ２８０３）。更に、読み出し部２３１５は、電話番号又はＩＭＳＩをキーとして、加入者情報格納部２３０５に格納されている加入者情報を検索する（Ｓ２８０５）。
【０１４１】
読み出し部２３１５は、Ｓ２８０３の検索によって特定された着信情報に、Ｓ２８０５の検索によって特定された加入者情報に含まれる第２優先フラグを付加する（Ｓ２８０７）。読み出し部２３１５は、着信情報の読出応答信号（MAP S.R.I.Response）を生成する（Ｓ２８０９）。送信部２３０３は、着信情報の読出応答信号（MAP S.R.I.Response）を返信する（Ｓ２８１１）。この処理は、図１６に示したシーケンスにおけるステップＳ１６０５に相当する。そして、Ｓ２８０１の処理に戻る。以上で、加入者情報データベース装置２１１の動作についての説明を終える。
【０１４２】
次に、中継パケット交換機２０９の動作について説明する。図２９及び図３０に、中継パケット交換機２０９における通知処理フローを示す。第２受信部１００５は、待機して、メールサーバ２０５からＣプレーン着信通知信号を受信する（Ｓ２９０１）。この処理は、図１６に示したシーケンスにおけるステップＳ１６０１に相当する。受信したＣプレーン着信通知信号は、記憶部１００９に記憶される。
【０１４３】
Ｃプレーン着信通知信号を受信すると、生成部１０１３は、着信情報の読出要求信号を生成する（Ｓ２９０３）。着信情報の読出要求信号には、着信側の携帯電話端末１０１に対応する電話番号又はＩＭＳＩが含まれる。着信情報の読出要求信号は、記憶部１００９に記憶される。
【０１４４】
第１送信部１００３は、着信情報の読出要求信号を加入者情報データベース装置２１１へ送信する（Ｓ２９０５）。この処理は、図１６に示したシーケンスにおけるステップＳ１６０３に相当する。
【０１４５】
第１受信部１００１は、加入者情報データベース装置２１１から着信情報の読出応答信号を受信する（Ｓ２９０７）。受信した着信情報の読出応答信号は、記憶部１００９に記憶される。この処理は、図１６に示したシーケンスにおけるステップＳ１６０５に相当する。
【０１４６】
判定部１０１１は、規制中であるか否かを判定する（Ｓ２９０９）。規制中であると判定した場合には、判定部１０１１は、着信情報の読出応答信号に含まれる第２優先フラグがＯＮであるか否かを判定する（Ｓ２９１１）。これらの処理は、図１６に示したシーケンスにおけるステップＳ１６０７に相当する。
【０１４７】
着信情報の読出応答信号に含まれる第２優先フラグがＯＮではないと判定した場合には、中継パケット交換機２０９は着信通知を拒否する。この場合には、生成部１０１３は、通知拒否信号を生成する（Ｓ２９１３）。通知拒否信号は、記憶部１００９に記憶される。第２送信部１００７は、通知拒否信号をメールサーバ２０５へ返信する（Ｓ２９１５）。そして、Ｓ２９０１の処理に戻り、上述の処理を繰り返す。
【０１４８】
一方、着信情報の読出応答信号に含まれる第２優先フラグがＯＮであると判定した場合には、生成部１０１３は、Ｃプレーン着信通知信号（PDU Notification Request）を生成する（Ｓ２９１７）。Ｃプレーン着信通知信号（PDU Notification Request）は、記憶部１００９に記憶される。生成部１０１３は、Ｃプレーン着信通知信号（PDU Notification Request）にオプション領域を付加する（Ｓ２９１９）。生成部１０１３は、オプション領域における第２優先フラグをＯＮに設定する（Ｓ２９２１）。この例で、ＯＮに設定された第２優先フラグは、優先識別子に相当する。そして、端子Ｉを介して図３０に示したＳ３００１の処理に移る。
【０１４９】
Ｓ２９０９において、規制中ではないと判定した場合には、生成部１０１３は、Ｃプレーン着信通知信号（PDU Notification Request）を生成する（Ｓ２９２３）。Ｃプレーン着信通知信号（PDU Notification Request）は、記憶部１００９に記憶される。この場合には、オプション領域は付加されない。そして、端子Ｉを介して図３０に示したＳ３００１の処理に移る。
【０１５０】
図３０の処理に移って、第１送信部１００３は、Ｃプレーン着信通知信号（PDU Notification Request）を加入者パケット交換機２０７へ送信する（Ｓ３００１）。この処理は、図１６に示したシーケンスにおけるステップＳ１６０９に相当する。
【０１５１】
第１受信部１００１は、加入者パケット交換機２０７からＣプレーン着信応答信号（PDU Notification Response）を受信する（Ｓ３００３）。この処理は、図１６に示したシーケンスにおけるステップＳ１６１１に相当する。そして、端子Ｊを介して、図２９に示したＳ２９０１の処理に戻る。以上で、中継パケット交換機２０９の動作についての説明を終える。
【０１５２】
次に、加入者パケット交換機２０７の動作について説明する。図３１に、加入者パケット交換機２０７における通知処理フローを示す。第２受信部７０５は、待機して、中継パケット交換機２０９からＣプレーン着信通知信号（PDU Notification Request）を受信する（Ｓ３１０１）。この処理は、図１６に示したシーケンスにおけるステップＳ１６０９に相当する。受信したＣプレーン着信通知信号（PDU Notification Request）は、記憶部７０９に記憶される。
【０１５３】
Ｃプレーン着信通知信号（PDU Notification Request）を受信すると、第２送信部７０７は、Ｃプレーン着信応答信号（PDU Notification Response）を中継パケット交換機２０９へ返信する（Ｓ３１０３）。この処理は、図１６に示したシーケンスにおけるステップＳ１６１１に相当する。
【０１５４】
判定部７１１は、規制中であるか否かを判定する（Ｓ３１０５）。規制中であると判定した場合には、判定部７１１は、Ｃプレーン着信通知信号（PDU Notification Request）にオプション領域が付加されているか否かを判定する（Ｓ３１０７）。
【０１５５】
Ｃプレーン着信通知信号（PDU Notification Request）にオプション領域が付加されていないと判定した場合には、加入者パケット交換機２０７は着信通知を拒否する。この場合には、生成部７１３は、通知拒否信号を生成する（Ｓ３１０９）。通知拒否信号は、記憶部７０９に記憶される。第２送信部７０７は、通知拒否信号を中継パケット交換機２０９へ返信する（Ｓ３１１１）。そして、Ｓ３１０１の処理に戻り、上述の処理を繰り返す。
【０１５６】
一方、Ｃプレーン着信通知信号（PDU Notification Request）にオプション領域が付加されていると判定した場合には、判定部７１１は、オプション領域における第２優先フラグがＯＮであるか否かを判定する（Ｓ３１１３）。
【０１５７】
オプション領域における第２優先フラグがＯＮではないと判定した場合には、加入者パケット交換機２０７は着信通知を拒否する。この場合には、生成部７１３は、通知拒否信号を生成する（Ｓ３１０９）。通知拒否信号は、記憶部７０９に記憶される。第２送信部７０７は、通知拒否信号を中継パケット交換機２０９へ返信する（Ｓ３１１１）。そして、Ｓ３１０１の処理に戻り、上述の処理を繰り返す。
【０１５８】
尚、Ｓ３１０５、Ｓ３１０７及びＳ３１１３の処理は、図１６に示したシーケンスにおける規制判定処理（Ｓ１６１３）に相当する。
【０１５９】
一方、Ｓ３１１３において、オプション領域における第２優先フラグがＯＮであると判定した場合には、着信通知を許可する。この場合には、制御部７１５は、アクセス網２０１を介してページング処理を実行し、着信側の携帯電話端末１０１と接続する（Ｓ３１１５）。この処理は、図１６に示したシーケンスにおけるステップＳ１６１５に相当する。
【０１６０】
ページング処理によって着信側の携帯電話端末１０１と接続すると、第１送信部７０３は、Ｃプレーン着信通知信号（Request PDP Context Activation）をアクセス網２０１を介して携帯電話端末１０１へ送信する（Ｓ３１１７）。この処理は、図１６に示したシーケンスにおけるステップＳ１６１７に相当する。そして、Ｓ３１０１の処理に戻り、上述の処理を繰り返す。以上で、加入者パケット交換機２０７の動作についての説明を終える。
【０１６１】
次に、携帯電話端末１０１の動作について説明する。図３２に、携帯電話端末１０１におけるメール着信処理フローを示す。受信部４１９は、待機して、Ｃプレーン着信通知信号（Request PDP Context Activation）を受信する（Ｓ３２０１）。この処理は、図１６に示したシーケンスにおけるステップＳ１６１７に相当する。
【０１６２】
Ｃプレーン着信通知信号（Request PDP Context Activation）を受信すると、制御部４１３は、Ｃプレーン接続要求信号（Activate PDP Context Request）を生成する（Ｓ３２０３）。Ｃプレーン接続要求信号（Activate PDP Context Request）は、記憶部４１５に記憶される。制御部４１３は、Ｃプレーン接続要求信号（Activate PDP Context Request）にオプション領域を付加する（Ｓ３２０５）。オプション領域は、第１優先フラグを含んでいる。この例で、ＯＮに設定された第１優先フラグは、優先識別子に相当する。
【０１６３】
制御部４１３は、第１優先フラグをＯＮに設定し（Ｓ３２０７）、送信部４１７は、第１優先フラグをＯＮに設定されたＣプレーン接続要求信号（Activate PDP Context Request）を、アクセス網２０１を介して加入者パケット交換機２０７へ送信する（Ｓ３２０９）。この処理は、図１６に示したシーケンスにおけるステップＳ１６１９に相当する。
【０１６４】
図１７のＳ３０１乃至Ｓ３１７に示したように接続要求が正常に処理されると、制御部４１３は、Ｕプレーンパスを設定し（Ｓ３２１１）、受信部４１９は、正常応答信号（Activate PDP Context Accept）を受信する（Ｓ３２１３）。この処理は、図１７に示したシーケンスにおけるステップＳ３１９とＳ３２１とに相当する。
【０１６５】
そして、受信部４１９は、Ｕプレーンパスを介してメールサーバ２０５からメールデータを受信し、受信したメールデータをメールデータ格納部４０３に格納する（Ｓ３２１５）、この処理は、図１７に示したシーケンスにおけるステップＳ１７０１に相当する。以上で、携帯電話端末１０１の動作についての説明を終える。
【０１６６】
本実施の形態によれば、規制状態において優先メールの着信通知を疎通させることができる。例えば、規制地域内の端末装置が着信すべき優先メールをメールサーバから到達させるための接続を確立させることに役立つ。
【０１６７】
また、中継パケット交換機２０９は、Ｃプレーン着信通知信号（PDU Notification Request）にオプション領域を付加し、付加されたオプション領域の第２優先フラグをＯＮに設定して、Ｃプレーン着信通知信号（PDU Notification Request）を加入者パケット交換機２０７へ送信するので、下位のノード装置である加入者パケット交換機２０７に当該優先メールに係る着信通知の疎通を指示することができる。
【０１６８】
また、メールデータの伝送を伴わずに、Ｃプレーンにおいて着信通知の伝達可否を制御するので、メールデータの伝送を試行することによるトラフィックの増加を抑制することができる。
【０１６９】
また、加入者パケット交換機２０７において、Ｃプレーン接続要求信号（Activate PDP Context Request）に含まれる第１優先フラグがＯＮであると判定した場合に、宛先メールアドレスを含む優先要求を加入者情報データベース装置２１１に送信するので、規制状態において優先メールの着信通知を伝達すべき宛先の情報をメール通信システムにおいて共有できる。
【０１７０】
また、中継パケット交換機２０９において、加入者情報データベース装置２１１から受信した着信情報に含まれる第２優先フラグによって規制判定するので、メール通信システムにおいて共有する情報に基づいて当該着信通知の伝達可否を判別できる。
【０１７１】
以上本発明の実施の形態を説明したが、本発明はこれに限定されるものではない。例えば、上述の機能ブロック構成は実際のプログラムモジュール構成に一致しない場合もある。
【０１７２】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０１７３】
なお、上で述べた加入者情報データベース装置２１１は、コンピュータ装置であって、図３３に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１７４】
また、上で述べた加入者パケット交換機２０７及び中継パケット交換機２０９は、コンピュータ装置であって、図３４に示すように、メモリ２６０１とＣＰＵ２６０３とハードディスク・ドライブ（ＨＤＤ）２６０５と表示装置２６０９に接続される表示制御部２６０７とリムーバブル・ディスク２６１１用のドライブ装置２６１３と入力装置２６１５とネットワークに接続するための通信制御部２６１７ａ及び通信制御部２６１７ｂとがバス２６１９で接続されている。オペレーティング・システム（ＯＳ）及び本実施例における処理を実施するためのアプリケーション・プログラムは、ＨＤＤ２６０５に格納されており、ＣＰＵ２６０３により実行される際にはＨＤＤ２６０５からメモリ２６０１に読み出される。ＣＰＵ２６０３は、アプリケーション・プログラムの処理内容に応じて表示制御部２６０７、通信制御部２６１７ａ、通信制御部２６１７ｂ、ドライブ装置２６１３を制御して、所定の動作を行わせる。また、処理途中のデータについては、主としてメモリ２６０１に格納されるが、ＨＤＤ２６０５に格納されるようにしてもよい。本発明の実施例では、上で述べた処理を実施するためのアプリケーション・プログラムはコンピュータ読み取り可能なリムーバブル・ディスク２６１１に格納されて頒布され、ドライブ装置２６１３からＨＤＤ２６０５にインストールされる。インターネットなどのネットワーク及び通信制御部２６１７（通信制御部２６１７ａ又は通信制御部２６１７ｂ）を経由して、ＨＤＤ２６０５にインストールされる場合もある。このようなコンピュータ装置は、上で述べたＣＰＵ２６０３、メモリ２６０１などのハードウエアとＯＳ及びアプリケーション・プログラムなどのプログラムとが有機的に協働することにより、上で述べたような各種機能を実現する。
【０１７５】
また、上で述べた携帯電話端末１０１は、図３５に示すように、例えばＣＰＵ３５０１、記憶回路３５０３、無線通信用アンテナ３５１１、無線通信制御回路３５１３、スピーカ制御回路３５１５、スピーカ３５１７、マイク制御回路３５１９、マイク３５２１、ＬＣＤ制御回路３５２３、ＬＣＤ３５２５、タッチパッド３５２７及びキー群３５２９を有している。
【０１７６】
ＣＰＵ３５０１は、モデムＣＰＵとアプリケーションＣＰＵからなることもある。記憶回路３５０３は、例えば、ＲＯＭ（Read Only Memory）３５０５とＲＡＭ（Random Access Memory）３５０７とフラッシュメモリ３５０９とを有している。ＲＯＭ３５０５は、例えば、オペレーティングシステムなどのプログラムや予め設定されているデータを格納している。ＲＡＭ３５０７は、例えば、メール生成やメール通信などのプログラムを展開する領域を含んでいる。ＲＡＭ３５０７は、一時的なデータを格納する領域も含んでいる。フラッシュメモリ３５０９は、例えば、メール生成やメール通信などのプログラムや保持すべきデータを格納している。
【０１７７】
ＬＣＤ制御回路３５２３は、指定された動作周波数でクロック回路を動作させ、ＬＣＤ３５２５を駆動させる。タッチパッド３５２７は、例えば、ＬＣＤ３５２５の表示画面上に配置されたパネル状のセンサであり、タッチ操作による指示を受け付ける。具体的には、ＬＣＤ３５２５とタッチパッド３５２７とを一体としたタッチパネルとして用いられる。キー群３５２９の各ハードキーは、筐体の一部に設けられている。
【０１７８】
無線通信用アンテナ３５１１は、例えば、セルラー方式、無線ＬＡＮ方式、近距離通信方式などによる無線電波を受信する。無線通信制御回路３５１３は、各方式における使用周波数に応じて無線通信の制御を行う。無線通信の制御により、例えば電話の音声通信やメールのデータ通信が行われる。
【０１７９】
スピーカ制御回路３５１５は、音データに関するデジタル／アナログ変換を行う。スピーカ３５１７は、アナログデータを音として出力する。マイク制御回路３５１９は、音データに関するアナログ／デジタル変換を行う。マイク３５２１は、音をアナログデータに変換する。
【０１８０】
以上述べた本発明の実施の形態をまとめると、以下のようになる。
【０１８１】
本実施の形態に係る中継装置は、メール通信システムに含まれる中継装置であって、端末装置が発信しようとするメールデータの伝送経路において自中継装置より下位のノード装置から第１の接続要求を受信する第１の受信部と、メール通信が規制されている状態において第１の接続要求を受信した場合に、受信した当該第１の接続要求に第１の優先識別子が含まれているか否かを判定する判定部と、第１の接続要求に第１の優先識別子が含まれていると判定した場合に、上記伝送経路において自中継装置より上位のノード装置に対して、第２の接続要求を送信する第１の送信部とを有する。
【０１８２】
このようにすれば、不特定の端末装置から発信された優先メールを規制状態において疎通させることができる。例えば、規制地域内の端末装置から発信された優先メールをメールサーバに到達させるための接続を確立させることに役立つ。
【０１８３】
上記中継装置は、更に、第２の優先識別子を含む第２の接続要求を生成する生成部を有するようにしてもよい。
【０１８４】
このようにすれば、上位のノード装置に対して当該優先メールの疎通を指示することができる。
【０１８５】
上記中継装置は、更に、メールサーバが送信しようとするメールデータについての第１の着信通知を受信する第２の受信部を有するようにしてもよい。また、上記判定部は、上記状態において第１の着信通知を受信した場合に、受信した当該第１の着信通知に第３の優先識別子が含まれているか否かを判定するようにしてもよい。また、上記中継装置は、第１の着信通知に第３の優先識別子が含まれていると判定した場合に、下位のノード装置に対して、第２の着信通知を送信する第２の送信部を有するようにしてもよい。
【０１８６】
このようにすれば、規制状態において優先メールの着信通知を疎通させることができる。例えば、規制地域内の端末装置が着信すべき優先メールをメールサーバから到達させるための接続を確立させることに役立つ。
【０１８７】
上記中継装置は、更に、第４の優先識別子を含む第２の着信通知を生成する生成部を有するようにしてもよい。
【０１８８】
このようにすれば、下位のノード装置に対して優先メールに係る着信通知の疎通を指示することができる。
【０１８９】
上記第１の受信部は、メールデータを伝送する第１のプロトコルに先行して接続制御を行う第２のプロトコルにおいて、第１の接続要求を受信するようにしてもよい。また、上記第１の送信部は、第２のプロトコルにおいて、第２の接続要求を送信するようにしてもよい。
【０１９０】
このようにすれば、メールデータの伝送を伴わずに接続の可否を制御するので、メールデータの伝送を試行することによるトラフィックの増加を抑制することができる。
【０１９１】
上記第２の受信部は、第２のプロトコルにおいて、第１の着信通知を受信するようにしてもよい。また、上記第２の送信部は、第２のプロトコルにおいて、第２の着信通知を送信するようにしてもよい。
【０１９２】
このようにすれば、メールデータの伝送を伴わずに着信通知の伝達可否を制御するので、メールデータの伝送を試行することによるトラフィックの増加を抑制することができる。
【０１９３】
また、上記第１の受信部は、上記メールデータの宛先を含む第１の接続要求を受信し、上記第１の送信部は、第１の接続要求に第１の優先識別子が含まれていると判定した場合に、上記宛先における着信を優先させる要求を、メール通信システムに含まれるデータベース装置に送信するようにしてもよい。
【０１９４】
このようにすれば、規制状態において優先メールの着信通知を伝達すべき宛先の情報をメール通信システムにおいて共有できる。
【０１９５】
上記中継装置は、更に、着信側の端末装置を特定した第１の着信通知を受信する第２の受信部を有し、上記状態において第１の着信通知を受信した場合に、上記第１の受信部は、メール通信システムに含まれるデータベース装置から、受信した当該第１の着信通知によって特定される着信側の端末装置について着信を優先させる指示が設定されているか否かを示す情報を受信するようにしてもよい。また、上記中継装置は、更に、着信側の端末装置について上記指示が設定されていることを示す上記情報を受信した場合に、下位のノード装置に対して、第２の着信通知を送信する第２の送信部を有するようにしてもよい。
【０１９６】
このようにすれば、受信した着信通知によって当該着信通知の伝達可否を判別できない場合であっても、メール通信システムにおいて共有する情報に基づいて当該着信通知の伝達可否を判別できる。
【０１９７】
上記中継装置は、更に、第５の優先識別子を含む第２の着信通知を生成する生成部を有するようにしてもよい。
【０１９８】
このようにすれば、下位のノード装置に対して優先メールに係る着信通知の疎通を指示することができる。
【０１９９】
上記第２の受信部は、第２のプロトコルにおいて、第１の着信通知を受信するようにしてもよい。また、上記第２の送信部は、第２のプロトコルにおいて、第２の着信通知を送信するようにしてもよい。
【０２００】
このようにすれば、メールデータの伝送を伴わずに着信通知の伝達可否を制御するので、メールデータの伝送を試行することによるトラフィックの増加を抑制することができる。
【０２０１】
本実施の形態に係る移動体通信システムは、移動体端末と、アクセス網と、第１の中継装置と、第２の中継装置とを含む移動体通信システムであって、上記移動体端末は、優先されるべきメールデータを発信する場合に、第１の優先識別子を含む第１の接続要求をアクセス網を介して第１の中継装置へ送信する。第１の中継装置は、アクセス網を介して第１の接続要求を受信する第１の受信部と、メール通信が規制されている状態において第１の接続要求を受信した場合に、受信した当該第１の接続要求に第１の優先識別子が含まれているか否かを判定する第１の判定部と、第１の接続要求に第１の優先識別子が含まれていると判定した場合に、第２の中継装置に対して、第２の優先識別子を含む第２の接続要求を送信する第１の送信部とを有する。第２の中継装置は、第１の中継装置から第２の接続要求を受信する第２の受信部と、上記状態において第２の接続要求を受信した場合に、受信した当該第２の接続要求に、第２の優先識別子が含まれているか否かを判定する第２の判定部と、第２の接続要求に第２の優先識別子が含まれていると判定した場合に、メールサーバ側に、第３の接続要求を送信する第２の送信部とを有する。
【０２０２】
このようにすれば、不特定の端末装置から発信された優先メールを規制状態において疎通させることができる。例えば、規制地域内の端末装置から発信された優先メールをメールサーバに到達させるための接続を確立させることに役立つ。
【０２０３】
また、上記移動体通信システムは、更に、データベース装置を含むようにしてもよい。移動体端末は、メールデータの宛先を含む第１の接続要求を送信するようにしてもよい。また、第１の接続要求に第１の優先識別子が含まれていると判定した場合に、第１の送信部は、上記宛先における着信を優先させる要求を、データベース装置に送信するようにしてもよい。データベース装置は、上記要求を受信すると、上記宛先により特定される移動体端末における着信を優先させる指示を設定する設定部を有するようにしてもよい。第２の中継装置は、メールサーバが送信しようとするメールデータの宛先である移動体端末を特定した第１の着信通知を受信する第３の受信部を有するようにしてもよい。上記状態において第１の着信通知を受信した場合に、第２の受信部は、受信した当該第１の着信通知によって特定される移動体端末について上記指示が設定されているか否かを示す情報を、データベース装置から受信するようにしてもよい。上記第２の中継装置は、更に、移動体端末について上記指示が設定されていることを示す上記情報を受信した場合に、第１の中継装置に対して、第３の優先識別子を含む第２の着信通知を送信する第３の送信部を有するようにしてもよい。第１の中継装置は、更に、第２の中継装置から、第２の着信通知を受信する第４の受信部を有するようにしてもよい。また、上記状態において第２の着信通知を受信した場合に、第１の判定部は、受信した当該第２の着信通知に第３の優先識別子が含まれているか否かを判定するようにしてもよい。第１の中継装置は、更に、第２の着信通知に第３の優先識別子が含まれていると判定した場合に、アクセス網を介して移動体端末と接続するための制御を行う制御部を有するようにしてもよい。
【０２０４】
このようにすれば、規制状態において優先メールの着信通知を疎通させることができる。例えば、規制地域内の端末装置が着信すべき優先メールをメールサーバから到達させるための接続を確立させることに役立つ。
【０２０５】
また、規制状態において優先メールの着信通知を伝達すべき宛先の情報を移動体通信システムにおいて共有できる。
【０２０６】
また、受信した着信通知によって当該着信通知の伝達可否を判別できない場合であっても、移動体通信システムにおいて共有する情報に基づいて当該着信通知の伝達可否を判別できる。
【０２０７】
なお、上で述べた中継装置及びデータベース装置の処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０２０８】
また、上で述べた携帯電話端末の処理をプロセッサに行わせるためのプログラムを作成することもできる。当該プログラムは、記憶回路に格納されるようにしてもよい。
【０２０９】
以上の実施例を含む実施形態に関し、さらに以下の付記を開示する。
【０２１０】
（付記１）
メール通信システムに含まれる中継装置であって、
端末装置が発信しようとするメールデータの伝送経路において自中継装置より下位のノード装置から第１の接続要求を受信する第１の受信部と、
メール通信が規制されている状態において前記第１の接続要求を受信した場合に、受信した当該第１の接続要求に第１の優先識別子が含まれているか否かを判定する判定部と、
前記第１の接続要求に前記第１の優先識別子が含まれていると判定した場合に、前記伝送経路において自中継装置より上位のノード装置に対して、第２の接続要求を送信する第１の送信部と
を有する中継装置。
【０２１１】
（付記２）
更に、
第２の優先識別子を含む前記第２の接続要求を生成する生成部
を有する付記１記載の中継装置。
【０２１２】
（付記３）
前記中継装置は、更に、
メールサーバが送信しようとするメールデータについての第１の着信通知を受信する第２の受信部を有し、
前記判定部は、
前記状態において前記第１の着信通知を受信した場合に、受信した当該第１の着信通知に第３の優先識別子が含まれているか否かを判定し、
更に、
前記第１の着信通知に前記第３の優先識別子が含まれていると判定した場合に、前記下位のノード装置に対して、第２の着信通知を送信する第２の送信部
を有する付記１又は２記載の中継装置。
【０２１３】
（付記４）
更に、
第４の優先識別子を含む前記第２の着信通知を生成する生成部
を有する付記３記載の中継装置。
【０２１４】
（付記５）
前記第１の受信部は、前記メールデータを伝送する第１のプロトコルに先行して接続制御を行う第２のプロトコルにおいて、前記第１の接続要求を受信し、
前記第１の送信部は、前記第２のプロトコルにおいて、前記第２の接続要求を送信する
付記１乃至４のいずれか１つ記載の中継装置。
【０２１５】
（付記６）
前記第２の受信部は、前記第２のプロトコルにおいて、前記第１の着信通知を受信し、
前記第２の送信部は、前記第２のプロトコルにおいて、前記第２の着信通知を送信する
付記３又は４記載の中継装置。
【０２１６】
（付記７）
前記第１の受信部は、前記メールデータの宛先を含む前記第１の接続要求を受信し、
前記第１の送信部は、前記第１の接続要求に前記第１の優先識別子が含まれていると判定した場合に、前記宛先における着信を優先させる要求を、前記メール通信システムに含まれるデータベース装置に送信する
付記１乃至６のいずれか１つ記載の中継装置。
【０２１７】
（付記８）
前記中継装置は、更に、
着信側の端末装置を特定した第１の着信通知を受信する第２の受信部を有し、
前記状態において前記第１の着信通知を受信した場合に、前記第１の受信部は、前記メール通信システムに含まれるデータベース装置から、受信した当該第１の着信通知によって特定される前記着信側の端末装置について着信を優先させる指示が設定されているか否かを示す情報を受信し、
前記中継装置は、更に、
前記着信側の端末装置について前記指示が設定されていることを示す前記情報を受信した場合に、前記下位のノード装置に対して、第２の着信通知を送信する第２の送信部
を有する付記１又は２記載の中継装置。
【０２１８】
（付記９）
更に、
第５の優先識別子を含む前記第２の着信通知を生成する生成部
を有する付記８記載の中継装置。
【０２１９】
（付記１０）
前記第２の受信部は、前記第２のプロトコルにおいて、前記第１の着信通知を受信し、
前記第２の送信部は、前記第２のプロトコルにおいて、前記第２の着信通知を送信する
付記８又は９記載の中継装置。
【０２２０】
（付記１１）
移動体端末と、アクセス網と、第１の中継装置と、第２の中継装置とを含む移動体通信システムであって、
前記移動体端末は、
優先されるべきメールデータを発信する場合に、第１の優先識別子を含む第１の接続要求を前記アクセス網を介して前記第１の中継装置へ送信し、
前記第１の中継装置は、
前記アクセス網を介して前記第１の接続要求を受信する第１の受信部と、
メール通信が規制されている状態において前記第１の接続要求を受信した場合に、受信した当該第１の接続要求に前記第１の優先識別子が含まれているか否かを判定する第１の判定部と、
前記第１の接続要求に前記第１の優先識別子が含まれていると判定した場合に、前記第２の中継装置に対して、第２の優先識別子を含む第２の接続要求を送信する第１の送信部と
を有し、
前記第２の中継装置は、
前記第１の中継装置から前記第２の接続要求を受信する第２の受信部と、
前記状態において前記第２の接続要求を受信した場合に、受信した当該第２の接続要求に、前記第２の優先識別子が含まれているか否かを判定する第２の判定部と、
前記第２の接続要求に前記第２の優先識別子が含まれていると判定した場合に、メールサーバ側に、第３の接続要求を送信する第２の送信部と
を有する移動体通信システム。
【０２２１】
（付記１２）
前記移動体通信システムは、更に、データベース装置を含み、
前記移動体端末は、前記メールデータの宛先を含む前記第１の接続要求を送信し、
前記第１の接続要求に前記第１の優先識別子が含まれていると判定した場合に、前記第１の送信部は、前記宛先における着信を優先させる要求を、前記データベース装置に送信し、
前記データベース装置は、
前記要求を受信すると、前記宛先により特定される移動体端末における着信を優先させる指示を設定する設定部
を有し、
前記第２の中継装置は、
前記メールサーバが送信しようとするメールデータの宛先である移動体端末を特定した第１の着信通知を受信する第３の受信部を有し、
前記状態において前記第１の着信通知を受信した場合に、前記第２の受信部は、受信した当該第１の着信通知によって特定される前記移動体端末について前記指示が設定されているか否かを示す情報を、前記データベース装置から受信し、
前記第２の中継装置は、更に、
前記移動体端末について前記指示が設定されていることを示す前記情報を受信した場合に、前記第１の中継装置に対して、第３の優先識別子を含む第２の着信通知を送信する第３の送信部
を有し、
前記第１の中継装置は、更に、
前記第２の中継装置から、前記第２の着信通知を受信する第４の受信部
を有し、
前記状態において前記第２の着信通知を受信した場合に、前記第１の判定部は、受信した当該第２の着信通知に前記第３の優先識別子が含まれているか否かを判定し、
前記第１の中継装置は、更に、
前記第２の着信通知に前記第３の優先識別子が含まれていると判定した場合に、前記アクセス網を介して前記移動体端末と接続するための制御を行う制御部
を有する付記１１記載の移動体通信システム。
【０２２２】
（付記１３）
移動体端末と、アクセス網と、第１の中継装置と、第２の中継装置とを含む移動体通信システムについての移動体通信方法であって、
前記移動体端末によって、
優先されるべきメールデータを発信する場合に、第１の優先識別子を含む第１の接続要求を前記アクセス網を介して前記第１の中継装置へ送信する送信処理と、
前記第１の中継装置によって、
前記アクセス網を介して前記第１の接続要求を受信する処理と、
メール通信が規制されている状態において前記第１の接続要求を受信した場合に、受信した当該第１の接続要求に前記第１の優先識別子が含まれているか否かを判定する処理と、
前記第１の接続要求に前記第１の優先識別子が含まれていると判定した場合に、前記第２の中継装置に対して、第２の優先識別子を含む第２の接続要求を送信する処理と
前記第２の中継装置によって、
前記第１の中継装置から前記第２の接続要求を受信する処理と、
前記状態において前記第２の接続要求を受信した場合に、受信した当該第２の接続要求に、前記第２の優先識別子が含まれているか否かを判定する処理と、
前記第２の接続要求に前記第２の優先識別子が含まれていると判定した場合に、メールサーバ側に、第３の接続要求を送信する処理と
を含む移動体通信方法。
【０２２３】
（付記１４）
前記移動体通信システムは、更に、データベース装置を含み、
前記送信処理において、前記メールデータの宛先を含む前記第１の接続要求を送信し、
前記第１の中継装置によって、
前記第１の接続要求に前記第１の優先識別子が含まれていると判定した場合に、前記宛先における着信を優先させる要求を、前記データベース装置に送信する処理と、
前記データベース装置によって、
前記要求を受信すると、前記宛先により特定される移動体端末における着信を優先させる指示を設定する処理と、
前記第２の中継装置によって、
前記メールサーバが送信しようとするメールデータの宛先である移動体端末を特定した第１の着信通知を受信する処理と、
前記状態において前記第１の着信通知を受信した場合に、当該第１の着信通知によって特定される前記移動体端末について前記指示が設定されているか否かを示す情報を、前記データベース装置から受信する処理と、
前記移動体端末について前記指示が設定されていることを示す前記情報を受信した場合に、前記第１の中継装置に対して、第３の優先識別子を含む第２の着信通知を送信する処理と、
前記第１の中継装置によって、
前記第２の中継装置から、前記第２の着信通知を受信する処理と、
前記状態において前記第２の着信通知を受信した場合に、受信した当該第２の着信通知に前記第３の優先識別子が含まれているか否かを判定する処理と、
前記第２の着信通知に前記第３の優先識別子が含まれていると判定した場合に、前記アクセス網を介して前記移動体端末と接続するための制御を行う処理と、
を含む付記１３記載の移動体通信方法。
【符号の説明】
【０２２４】
１０１  携帯電話端末    １０３  規制地域
２０１  アクセス網    ２０３  コアネットワーク網
２０５  メールサーバ    ２０７  加入者パケット交換機
２０９  中継パケット交換機    ２１１  加入者情報データベース装置
４０１  メール生成部    ４０３  メールデータ格納部
４０５  メール通信部    ４１１  受付部
４１３  制御部    ４１５  記憶部
４１７  送信部    ４１９  受信部
７０１  第１受信部    ７０３  第１送信部
７０５  第２受信部    ７０７  第２送信部
７０９  記憶部    ７１１  判定部
７１３  生成部    ７１５  制御部
１００１  第１受信部    １００３  第１送信部
１００５  第２受信部    １００７  第２送信部
１００９  記憶部    １０１１  判定部
１０１３  生成部    １０１５  制御部
２３０１  受信部    ２３０３  送信部
２３０５  加入者情報格納部    ２３０７  設定部
２３０９  着信情報格納部    ２３１１  生成部
２３１３  解除部    ２３１５  読み出し部
【図１】
2015115875.tif 000003
【図２】
2015115875.tif 000004
【図３】
2015115875.tif 000005
【図４】
2015115875.tif 000006
【図５】
2015115875.tif 000007
【図６】
2015115875.tif 000008
【図７】
2015115875.tif 000009
【図８】
2015115875.tif 000010
【図９】
2015115875.tif 000011
【図１０】
2015115875.tif 000012
【図１１】
2015115875.tif 000013
【図１２】
2015115875.tif 000014
【図１３】
2015115875.tif 000015
【図１４】
2015115875.tif 000016
【図１５】
2015115875.tif 000017
【図１６】
2015115875.tif 000018
【図１７】
2015115875.tif 000019
【図１８】
2015115875.tif 000020
【図１９】
2015115875.tif 000021
【図２０】
2015115875.tif 000022
【図２１】
2015115875.tif 000023
【図２２】
2015115875.tif 000024
【図２３】
2015115875.tif 000025
【図２４】
2015115875.tif 000026
【図２５】
2015115875.tif 000027
【図２６】
2015115875.tif 000028
【図２７】
2015115875.tif 000029
【図２８】
2015115875.tif 000030
【図２９】
2015115875.tif 000031
【図３０】
2015115875.tif 000032
【図３１】
2015115875.tif 000033
【図３２】
2015115875.tif 000034
【図３３】
2015115875.tif 000035
【図３４】
2015115875.tif 000036
【図３５】
2015115875.tif 000037